【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
電子デバイス間で通信する方法であって、
第１のワイヤレスネットワークに対応する近隣認識ネットワーク（ＮＡＮ）のデータリンクの第１の電子デバイスにおいてサービス発見フレームを生成することと、ここにおいて、前記サービス発見フレームは、送信時間枠の間の前記第１の電子デバイスからの第２のワイヤレスネットワークを介するデータの受信者として前記データリンクの電子デバイスのサブセットを識別する、または、データ告知に対応する時間期間と前記第２のワイヤレスネットワークを介するデータ送信のタイミング情報とを識別する、属性を含む、
前記第１の電子デバイス以外の電子デバイスに前記第１のワイヤレスネットワークを介して前記サービス発見フレームを送信することとを備える、方法。
【請求項２】
前記属性がサービス記述子属性であり、前記サービス記述子属性のサービス応答フィルタフィールドが、前記送信時間枠の間の前記第１の電子デバイスからの前記データの受信者として前記データリンクの電子デバイスの前記サブセットを識別し、前記サービス発見フレームが、前記ＮＡＮの発見時間枠の間に送信され、前記ＮＡＮが、前記データリンクの電子デバイスの前記サブセットを含む、請求項１に記載の方法。
【請求項３】
前記送信時間枠の間に、前記第２のワイヤレスネットワークを介して、前記データの少なくとも一部分を前記データリンクの第２の電子デバイスに送信することをさらに備える、ここにおいて、前記第２のワイヤレスネットワークは、前記第１のワイヤレスネットワークとは異なる、請求項２に記載の方法。
【請求項４】
前記サービス発見フレームに応答して第２の電子デバイスから肯定応答を受信した後に、前記第２の電子デバイスが前記データの受信者ではないことに応答して、否定応答（ＮＡＣＫ）を前記第２の電子デバイスに送信することをさらに備える、請求項１に記載の方法。
【請求項５】
前記サービス記述子属性が前記データリンクに対応するデータリンク属性を示し、前記サービス記述子属性が前記データリンクのためのトラフィックインジケータを含む第２の属性を示す、請求項２に記載の方法。
【請求項６】
前記サービス応答フィルタフィールドがブルームフィルタを識別し、前記ブルームフィルタが電子デバイスの前記サブセットを前記データの受信者として識別し、前記サービス応答フィルタフィールドのサービス応答フィルタ制御フィールドが前記ブルームフィルタに対応するハッシュ関数のセットを示すブルームフィルタインデックスを含み、前記ブルームフィルタのサイズが前記ブルームフィルタに対応する目標の誤検出の百分率に基づいて選択される、請求項２に記載の方法。
【請求項７】
前記属性が前記データリンクを介して前記第１の電子デバイスによって提供されるサービスを記述し、前記サービス発見フレームが、前記データリンクに対応し、前記データリンクに対応する１つまたは複数の通信時間枠の１つまたは複数のパラメータを定義する、１つまたは複数の特徴を記述する第２の属性を含み、前記属性が前記第２の属性を識別するインジケータを含む、請求項１に記載の方法。
【請求項８】
前記１つまたは複数の特徴が、前記データリンクに対応するデータリンクチャネル、前記データリンクに対応するグループ識別子、前記データリンクに対応する前記１つまたは複数の通信時間枠、またはこれらの組合せを含む、請求項７に記載の方法。
【請求項９】
前記属性が、前記第１の電子デバイスによって提供されるサービスを識別するサービス識別子と、前記サービスの第１のインスタンスを識別する第１のインスタンス識別子とを含む、請求項１に記載の方法。
【請求項１０】
前記属性が前記データリンクに対応するデータリンク属性であり、前記データリンク属性のデータリンク制御フィールドが前記時間期間と前記タイミング情報とを識別し、前記サービス発見フレームが発見時間枠の間に前記データリンクの前記電子デバイスに送信される、請求項１に記載の方法。
【請求項１１】
前記データリンク制御フィールドのビットのサブセットが、データリンクに対応する第１のページング時間枠として前記時間期間を識別し、第２の属性が、ＮＡＮに対応する第２のページング時間枠を識別する第２のデータリンク制御フィールドを含む、請求項１０に記載の方法。
【請求項１２】
前記データリンク属性が、マルチキャストトラフィックのために指定された送信時間枠の周期性を示すフィールドを含む、請求項１０に記載の方法。
【請求項１３】
前記サービス発見フレームが、ＮＡＮに対応する発見時間枠の間に送信され、前記データの少なくとも一部分が、前記データリンクに対応する送信時間枠の間に送信される、請求項１に記載の方法。
【請求項１４】
第１のワイヤレスネットワークに対応する近隣認識ネットワーク（ＮＡＮ）のデータリンクの第１の電子デバイスにおいてサービス発見フレームを生成するための手段と、ここにおいて、前記サービス発見フレームは、送信時間枠の間の前記第１の電子デバイスからの第２のワイヤレスネットワークを介するデータの受信者として前記データリンクの電子デバイスのサブセットを識別する、または、データ告知に対応する時間期間と前記第２のワイヤレスネットワークを介するデータ送信のタイミング情報とを識別する、属性を含む、
前記第１の電子デバイス以外の電子デバイスに前記第１のワイヤレスネットワークを介して前記サービス発見フレームを送信するための手段とを備える、装置。
【請求項１５】
命令を記憶する非コンピュータ可読媒体であって、前記命令が、プロセッサによって実行されると、前記プロセッサに、請求項１乃至１３のいずれかにしたがった方法を実行
させる、非コンピュータ可読媒体。
【手続補正２】
【補正対象書類名】明細書
【補正対象項目名】０２８５
【補正方法】変更
【補正の内容】
【０２８５】
[0297]上記の説明は、当業者が開示されている実装形態を製作または使用することを可能にするために提供されている。これらの実装形態に対する様々な修正が、当業者には容易に明らかになり、本明細書において定義される原理は、本開示の範囲から逸脱することなく、他の実装形態に適用され得る。したがって、本開示は、本明細書において示される実装形態に限定されることを意図されず、特許請求の範囲によって定義される原理および新規の特徴と合致する可能な限り最も広い範囲が与えられるべきである。
以下に本願発明の当初の特許請求の範囲に記載された発明を付記する。
［Ｃ１］  電子デバイス間で通信する方法であって、
近隣認識ネットワーク（ＮＡＮ）のデータリンクの第１の電子デバイスにおいてサービス発見フレームを生成することと、ここにおいて、前記サービス発見フレームは、送信時間枠の間の前記第１の電子デバイスからのデータの受信者として前記データリンクの電子デバイスのサブセットを識別する、または、データ告知に対応する時間期間と前記データリンクに対応するデータ送信のタイミング情報とを識別する、属性を含む、
前記第１の電子デバイス以外の電子デバイスに前記サービス発見フレームを送信することとを備える、方法。
［Ｃ２］  前記属性がサービス記述子属性であり、前記サービス記述子属性のサービス応答フィルタフィールドが、前記送信時間枠の間の前記第１の電子デバイスからの前記データの受信者として前記データリンクの電子デバイスの前記サブセットを識別し、前記サービス発見フレームが、前記ＮＡＮの発見時間枠の間に送信され、前記ＮＡＮが、前記データリンクの電子デバイスの前記サブセットを含む、Ｃ１に記載の方法。
［Ｃ３］  前記送信時間枠の間に、前記データリンクに対応するワイヤレスネットワークを介して、前記データの少なくとも一部分を前記データリンクの第２の電子デバイスに送信することをさらに備える、Ｃ２に記載の方法。
［Ｃ４］  前記第１の電子デバイスが前記ＮＡＮの第２のデータリンクに含まれ、前記サービス発見フレームが第２のサービス記述子属性をさらに含み、前記第２のサービス記述子属性の第２のサービス応答フィルタフィールドが前記第２のデータリンクの電子デバイスの第２のサブセットを第２のデータの受信者として識別する、Ｃ３に記載の方法。
［Ｃ５］  前記送信時間枠の間に、第２のワイヤレスネットワークを介して前記第２のデータの少なくとも一部分を前記第２のデータリンクの第３の電子デバイスに送信することをさらに備え、前記第２のワイヤレスネットワークが前記第２のデータリンクに対応し、電子デバイスの前記第２のサブセットが前記第３の電子デバイスを含む、Ｃ４に記載の方法。
［Ｃ６］  前記サービス発見フレームに応答して第２の電子デバイスから肯定応答を受信することと、
前記第２の電子デバイスが前記データの受信者ではないと決定したことに基づいて、否定応答（ＮＡＣＫ）を前記第２の電子デバイスに送信することとをさらに備える、Ｃ２に記載の方法。
［Ｃ７］  前記サービス記述子属性が前記データリンクに対応するデータリンク属性を示し、前記サービス記述子属性が前記データリンクのためのトラフィックインジケータを含む第２の属性を示す、Ｃ２に記載の方法。
［Ｃ８］  前記トラフィックインジケータが、トラフィック指示マップ（ＴＩＭ）、ブルームフィルタ、または、媒体アクセス制御（ＭＡＣ）アドレスのリストを含む、Ｃ７に記載の方法。
［Ｃ９］  前記サービス応答フィルタフィールドがブルームフィルタを識別し、前記ブルームフィルタが電子デバイスの前記サブセットを前記データの受信者として識別し、前記サービス応答フィルタフィールドのサービス応答フィルタ制御フィールドが前記ブルームフィルタに対応するハッシュ関数のセットを示すブルームフィルタインデックスを含み、前記ブルームフィルタのサイズが前記ブルームフィルタに対応する目標の誤検出の百分率に基づいて選択される、Ｃ２に記載の方法。
［Ｃ１０］  前記属性が前記データリンクを介して前記第１の電子デバイスによって提供されるサービスを記述し、前記サービス発見フレームが、前記データリンクに対応し、前記データリンクに対応する１つまたは複数の通信時間枠の１つまたは複数のパラメータを定義する、１つまたは複数の特徴を記述する第２の属性を含み、前記属性が前記第２の属性を識別するインジケータを含む、Ｃ１に記載の方法。
［Ｃ１１］  前記１つまたは複数の通信時間枠が、ページング時間枠、送信時間枠、または両方を含む、Ｃ１０に記載の方法。
［Ｃ１２］  前記１つまたは複数の特徴が、前記データリンクに対応するデータリンクチャネル、前記データリンクに対応するグループ識別子、前記データリンクに対応する前記１つまたは複数の通信時間枠、またはこれらの組合せを含む、Ｃ１０に記載の方法。
［Ｃ１３］  前記インジケータがビットマップを備える、Ｃ１０に記載の方法。
［Ｃ１４］  前記第２の属性の制御フィールドのビットのグループが前記１つまたは複数のパラメータを定義する、Ｃ１０に記載の方法。
［Ｃ１５］  前記属性が前記サービスを識別するサービス識別子を含み、前記属性が、前記サービスの第１のインスタンスを識別する第１のインスタンス識別子をさらに含む、Ｃ１０に記載の方法。
［Ｃ１６］  前記サービス発見フレームが、前記サービスを記述する第３の属性をさらに含み、前記第３の属性が、前記サービス識別子と、前記サービスの第２のインスタンスを識別する第２のインスタンス識別子とを含む、Ｃ１５に記載の方法。
［Ｃ１７］  前記第３の属性が前記第２の属性を識別する第２のインジケータを含む、Ｃ１６に記載の方法。
［Ｃ１８］  前記属性が前記データリンクに対応するデータリンク属性であり、前記データリンク属性のデータリンク制御フィールドが前記時間期間と前記タイミング情報とを識別し、前記サービス発見フレームが発見時間枠の間に前記データリンクの前記電子デバイスに送信される、Ｃ１に記載の方法。
［Ｃ１９］  前記データリンク制御フィールドのビットのサブセットが、データリンクに対応する第１のページング時間枠、ＮＡＮに対応する第２のページング時間枠、または、別のサービス発見フレームに対応する別の発見時間枠の１つとして、前記時間期間を識別する、Ｃ１８に記載の方法。
［Ｃ２０］  前記タイミング情報が、前記データリンク制御フィールドのビットの前記サブセットおよびビットの第２のサブセットに対応する、Ｃ１９に記載の方法。
［Ｃ２１］  ビットの前記サブセットが前記第１のページング時間枠として前記時間期間を識別する場合、前記タイミング情報が前記第１のページング時間枠の時間長を含む、Ｃ２０に記載の方法。
［Ｃ２２］  ビットの前記サブセットが前記第２のページング時間枠として前記時間期間を識別する場合、前記タイミング情報が、前記ＮＡＮの２つの連続する発見時間枠と発見時間枠の間の、前記第２のページング時間枠の反復の数を含む、Ｃ２０に記載の方法。
［Ｃ２３］  ビットの前記サブセットが前記発見時間枠として前記時間期間を識別する場合、前記タイミング情報が、前記サービス発見フレームのサービス記述子属性のサービス応答フィルタフィールドにおいて識別されるデータ受信者の割当てが繰り返される、時間の長さを含む、Ｃ２０に記載の方法。
［Ｃ２４］  前記データリンク属性が、マルチキャストトラフィックのために指定された送信時間枠の周期性を示すフィールドを含む、Ｃ１８に記載の方法。
［Ｃ２５］  マルチキャストトラフィックのために指定された送信時間枠の間に前記データリンクの電子デバイスに前記データを送信することをさらに備え、前記送信時間枠がページング時間枠を含まない、Ｃ２４に記載の方法。
［Ｃ２６］  プロセッサと、
前記プロセッサに結合されたメモリとを備え、前記メモリが、
近隣認識ネットワーク（ＮＡＮ）のデータリンクの第１の電子デバイスにおいてサービス発見フレームを生成することと、ここにおいて、前記サービス発見フレームは、送信時間枠の間の前記第１の電子デバイスからのデータの受信者として前記データリンクの電子デバイスのサブセットを識別する、または、データ告知に対応する時間期間と前記データリンクに対応するデータ送信のタイミング情報とを識別する、属性を含む、
前記第１の電子デバイス以外の電子デバイスに前記サービス発見フレームを送信することと
を備える動作を実行するように前記プロセッサによって実行可能な命令を記憶する、装置。
［Ｃ２７］  前記属性がサービス記述子属性であり、前記サービス記述子属性のサービス応答フィルタフィールドが、前記送信時間枠の間の前記第１の電子デバイスからの前記データの受信者として前記データリンクの電子デバイスの前記サブセットを識別し、前記サービス発見フレームが、前記ＮＡＮの発見時間枠の間に送信され、前記ＮＡＮが、前記データリンクの電子デバイスの前記サブセットを含む、Ｃ２６に記載の装置。
［Ｃ２８］  前記動作が、前記送信時間枠の間に、前記データリンクに対応するワイヤレスネットワークを介して、前記データの少なくとも一部分を前記データリンクの第２の電子デバイスに送信することをさらに備える、Ｃ２７に記載の装置。
［Ｃ２９］  前記第１の電子デバイスが前記ＮＡＮの第２のデータリンクに含まれ、前記サービス発見フレームが第２のサービス記述子属性をさらに含み、前記第２のサービス記述子属性の第２のサービス応答フィルタフィールドが前記第２のデータリンクの電子デバイスの第２のサブセットを第２のデータの受信者として識別する、Ｃ２８に記載の装置。
［Ｃ３０］  前記動作が、前記送信時間枠の間に、第２のワイヤレスネットワークを介して前記第２のデータの少なくとも一部分を前記第２のデータリンクの第３の電子デバイスに送信することをさらに備え、前記第２のワイヤレスネットワークが前記第２のデータリンクに対応し、電子デバイスの前記第２のサブセットが前記第３の電子デバイスを含む、Ｃ２９に記載の装置。
［Ｃ３１］  前記動作が、
前記サービス発見フレームに応答して第２の電子デバイスから肯定応答を受信することと、
前記第２の電子デバイスが前記データの受信者ではないと決定したことに基づいて、否定応答（ＮＡＣＫ）を前記第２の電子デバイスに送信することとをさらに備える、Ｃ２７に記載の装置。
［Ｃ３２］  前記サービス記述子属性が前記データリンクに対応するデータリンク属性を示し、前記サービス記述子属性が前記データリンクのためのトラフィックインジケータを含む第２の属性を示す、Ｃ２７に記載の装置。
［Ｃ３３］  前記トラフィックインジケータが、トラフィック指示マップ（ＴＩＭ）、ブルームフィルタ、または、媒体アクセス制御（ＭＡＣ）アドレスのリストを含む、Ｃ３２に記載の装置。
［Ｃ３４］  前記サービス応答フィルタフィールドがブルームフィルタを識別し、前記ブルームフィルタが電子デバイスの前記サブセットを前記データの受信者として識別し、前記サービス応答フィルタフィールドのサービス応答フィルタ制御フィールドが前記ブルームフィルタに対応するハッシュ関数のセットを示すブルームフィルタインデックスを含み、前記ブルームフィルタのサイズが前記ブルームフィルタに対応する目標の誤検出の百分率に基づいて選択される、Ｃ２７に記載の装置。
［Ｃ３５］  前記属性が前記データリンクを介して前記第１の電子デバイスによって提供されるサービスを記述し、前記サービス発見フレームが、前記データリンクに対応し、前記データリンクに対応する１つまたは複数の通信時間枠の１つまたは複数のパラメータを定義する、１つまたは複数の特徴を記述する第２の属性を含み、前記属性が前記第２の属性を識別するインジケータを含む、Ｃ２６に記載の装置。
［Ｃ３６］  前記１つまたは複数の通信時間枠が、ページング時間枠、送信時間枠、または両方を含む、Ｃ３５に記載の装置。
［Ｃ３７］  前記１つまたは複数の特徴が、前記データリンクに対応するデータリンクチャネル、前記データリンクに対応するグループ識別子、前記データリンクに対応する前記１つまたは複数の通信時間枠、またはこれらの組合せを含む、Ｃ３５に記載の装置。
［Ｃ３８］  前記インジケータがビットマップを備える、Ｃ３５に記載の装置。
［Ｃ３９］  前記第２の属性の制御フィールドのビットのグループが前記１つまたは複数のパラメータを定義する、Ｃ３５に記載の装置。
［Ｃ４０］  前記属性が前記サービスを識別するサービス識別子を含み、前記属性が、前記サービスの第１のインスタンスを識別する第１のインスタンス識別子をさらに含む、Ｃ３５に記載の装置。
［Ｃ４１］  前記サービス発見フレームが、前記サービスを記述する第３の属性をさらに含み、前記第３の属性が、前記サービス識別子と、前記サービスの第２のインスタンスを識別する第２のインスタンス識別子とを含む、Ｃ４０に記載の装置。
［Ｃ４２］  前記第３の属性が前記第２の属性を識別する第２のインジケータを含む、Ｃ４１に記載の装置。
［Ｃ４３］  前記属性が前記データリンクに対応するデータリンク属性であり、前記データリンク属性のデータリンク制御フィールドが前記時間期間と前記タイミング情報とを識別し、前記サービス発見フレームが発見時間枠の間に前記データリンクの前記電子デバイスに送信される、Ｃ２６に記載の装置。
［Ｃ４４］  前記データリンク制御フィールドのビットのサブセットが、データリンクに対応する第１のページング時間枠、ＮＡＮに対応する第２のページング時間枠、または、別のサービス発見フレームに対応する別の発見時間枠の１つとして、前記時間期間を識別する、Ｃ４３に記載の装置。
［Ｃ４５］  前記タイミング情報が、前記データリンク制御フィールドのビットの前記サブセットおよびビットの第２のサブセットに対応する、Ｃ４４に記載の装置。
［Ｃ４６］  ビットの前記サブセットが前記第１のページング時間枠として前記時間期間を識別する場合、前記タイミング情報が前記第１のページング時間枠の時間長を含む、Ｃ４５に記載の装置。
［Ｃ４７］  ビットの前記サブセットが前記第２のページング時間枠として前記時間期間を識別する場合、前記タイミング情報が、前記ＮＡＮの２つの連続する発見時間枠と発見時間枠の間の、前記第２のページング時間枠の反復の数を含む、Ｃ４５に記載の装置。
［Ｃ４８］  ビットの前記サブセットが前記発見時間枠として前記時間期間を識別する場合、前記タイミング情報が、前記サービス発見フレームのサービス記述子属性のサービス応答フィルタフィールドにおいて識別されるデータ受信者の割当てが繰り返される、時間の長さを含む、Ｃ４５に記載の装置。
［Ｃ４９］  前記データリンク属性が、マルチキャストトラフィックのために指定された送信時間枠の周期性を示すフィールドを含む、Ｃ４３に記載の装置。
［Ｃ５０］  前記動作が、マルチキャストトラフィックのために指定された送信時間枠の間に前記データリンクの電子デバイスに前記データを送信することをさらに備え、前記送信時間枠がページング時間枠を含まない、Ｃ４９に記載の装置。
［Ｃ５１］  近隣認識ネットワーク（ＮＡＮ）のデータリンクの第１の電子デバイスにおいてサービス発見フレームを生成するための手段と、ここにおいて、前記サービス発見フレームは、送信時間枠の間の前記第１の電子デバイスからのデータの受信者として前記データリンクの電子デバイスのサブセットを識別する、または、データ告知に対応する時間期間と前記データリンクに対応するデータ送信のタイミング情報とを識別する、属性を含む、
前記第１の電子デバイス以外の電子デバイスに前記サービス発見フレームを送信するための手段とを備える、装置。
［Ｃ５２］  命令を記憶する非一時的コンピュータ可読媒体であって、前記命令が、プロセッサによって実行されると、前記プロセッサに、
近隣認識ネットワーク（ＮＡＮ）のデータリンクの第１の電子デバイスにおいてサービス発見フレームを生成させ、ここにおいて、前記サービス発見フレームは、送信時間枠の間の前記第１の電子デバイスからのデータの受信者として前記データリンクの電子デバイスのサブセットを識別する、または、データ告知に対応する時間期間と前記データリンクに対応するデータ送信のタイミング情報とを識別する、属性を含む、
前記第１の電子デバイス以外の電子デバイスへ前記サービス発見フレームを送信させる、非一時的コンピュータ可読媒体。